(57)【特許請求の範囲】
【請求項１】
液透過性の表面シートと、液不透過性の裏面シートと、前記表面シートと裏面シートの間に設けられた吸収体を備えるパッドにおいて、
前記表面シートに突出する凸部を形成し、
前記吸収体を前後方向の前側に位置する前側部と、前後方向の中央部に位置する括れ部と、前後方向の後側に位置する後側部で形成し、
平面視において、前記前側部の左前側部を括れ部の最狭幅部の左側括れ辺よりも左側に延在させ、前記前側部の右前側部を括れ部の最狭幅部の右側括れ辺よりも右側に延在させ、
平面視において、前記後側部の左後側部を括れ部の最狭幅部の左側括れ辺よりも左側に延在させ、前記後側部の右後側部を括れ部の最狭幅部の右側括れ辺よりも右側に延在させ、
前記左前側部と左後側部を、前記左側括れ辺の左側に近接して設けられた前後方向に延在する第１左側折曲げ線を中心として内側に折曲げ、
前記右前側部と右後側部を、前記左側括れ辺の右側に近接して設けられた前後方向に延在する第１右側折曲げ線を中心として内側に折曲げ、
平面視において、前記吸収体を前後方向に３分割する位置の前側に幅方向に延在する第２折曲げ線と、後側に幅方向に延在する第３折曲げ線を設け、
前記左前側部と右前側部を折曲げた状態の前側部を、前記第２折曲げ線を中心として内側に折曲げ、又は、前記左後側部と右後側部を折曲げた状態の後側部を、前記第３折曲げ線を中心として内側に折曲げた後に、
前記左後側部と右後側部を折曲げた状態の後側部を、前記第３折曲げ線を中心として内側に折曲げ、又は、前記左前側部と右前側部を折曲げた状態の前側部を、前記第２折曲げ線を中心として内側に折曲げ、
前記前側部の前部における第１左側折曲げ線と第１右側折曲げ線に重なる部位に、それぞれ矩形状の第１左前側重合部と第１右前側重合部を設け、
前記後側部の前部における第１左側折曲げ線と第１右側折曲げ線に重なる部位に、それぞれ前側に頂部を有する三角形状の第２左後側重合部と第２右後側重合部を設け、
前記第２左後側重合部と第２右後側重合部を、それぞれ第３折曲げ線よりも前側に延在させたことを特徴とするパッド。
【請求項２】
液透過性の表面シートと、液不透過性の裏面シートと、前記表面シートと裏面シートの間に設けられた吸収体を備えるパッドにおいて、
前記表面シートに突出する凸部を形成し、
前記吸収体を前後方向の前側に位置する前側部と、前後方向の中央部に位置する括れ部と、前後方向の後側に位置する後側部で形成し、
平面視において、前記前側部の左前側部を括れ部の最狭幅部の左側括れ辺よりも左側に延在させ、前記前側部の右前側部を括れ部の最狭幅部の右側括れ辺よりも右側に延在させ、
平面視において、前記後側部の左後側部を括れ部の最狭幅部の左側括れ辺よりも左側に延在させ、前記後側部の右後側部を括れ部の最狭幅部の右側括れ辺よりも右側に延在させ、
前記左前側部と左後側部を、前記左側括れ辺の左側に近接して設けられた前後方向に延在する第１左側折曲げ線を中心として内側に折曲げ、
前記右前側部と右後側部を、前記左側括れ辺の右側に近接して設けられた前後方向に延在する第１右側折曲げ線を中心として内側に折曲げ、
平面視において、前記吸収体を前後方向に３分割する位置の前側に幅方向に延在する第２折曲げ線と、後側に幅方向に延在する第３折曲げ線を設け、
前記左前側部と右前側部を折曲げた状態の前側部を、前記第２折曲げ線を中心として内側に折曲げ、又は、前記左後側部と右後側部を折曲げた状態の後側部を、前記第３折曲げ線を中心として内側に折曲げた後に、
前記左後側部と右後側部を折曲げた状態の後側部を、前記第３折曲げ線を中心として内側に折曲げ、又は、前記左前側部と右前側部を折曲げた状態の前側部を、前記第２折曲げ線を中心として内側に折曲げ、
前記括れ部の両側部における第２折曲げ線と重なる部位に、それぞれ矩形状の第３左中側重合部と第３右中側重合部を設け、
前記後側部の前部における第１左側折曲げ線と第１右側折曲げ線に重なる部位に、それぞれ前側に頂部を有する三角形状の第２左後側重合部と第２右後側重合部を設け、
前記第２左後側重合部と第２右後側重合部を、それぞれ第３折曲げ線よりも前側に延在させたことを特徴とするパッド。
【請求項３】
前記第１左側折曲げ線を左側括れ辺上に位置させ、前記第１右側折曲げ線を右側括れ辺上に位置させた請求項１又は２記載のパッド。
【発明の詳細な説明】
【技術分野】
【０００１】
本発明は、テープタイプの使い捨ておむつに装着するパッドに関するものであり、特に、表面シートに突出して形成された凸部を維持するために前後方向に３つ折り状態にしたパッドに関するものである。
【背景技術】
【０００２】
従来、表面シートに内面に排尿された尿等の拡散を向上させる凸部を形成し、吸収体の左側部の幅方向に２分割する左側仮想線を中心として吸収体の左側部を内側に折曲げ、吸収体の右側部の幅方向に２分割する右側仮想線を中心として吸収体の右側部を内側に折曲げた後に、吸収体を前後方向に３分割する前側仮想線を中心として吸収体の前側部を内側に折曲げた後に、吸収体を前後方向に３分割する後側仮想線を中心として吸収体の後側部を内側に折曲げる手段が提案されている。（特許文献１）
【０００３】
また、液の拡散性の低下を防止するために、表面シートに内面に幅方向に所定のピッチをずらして凸部を形成する手段が提案されている。（特許文献２）
【先行技術文献】
【特許文献】
【０００４】
【特許文献１】特開２０１５−１５７０４７号公報
【特許文献２】特開２００４−１７４２３４号公報
【発明の概要】
【発明が解決しようとする課題】
【０００５】
しかし、特許文献１の手段では、吸収体の幅方向の中央部にも折曲げられた吸収体の左側部と右側部が重合するので、表面シートにおける吸収体の幅方向の中央部に対向する部位に形成された多くの凸部が、吸収体の左側部と右側部の押圧によって形状を維持することができない恐れがある。なお、特許文献２には、パッドの折曲げ手段については開示されていない。
【０００６】
そこで、本発明の課題は、液の拡散性の低下を防止する表面シートに突出する多数の凸部の形状を維持する前後方向に３つ折り状態にするパッドについて提供することにある。
【課題を解決するための手段】
【０００７】
上記課題を解決した手段は次記のとおりである。
第１手段は、液透過性の表面シートと、液不透過性の裏面シートと、前記表面シートと裏面シートの間に設けられた吸収体を備えるパッドにおいて、
前記表面シートに突出する凸部を形成し、前記吸収体を前後方向の前側に位置する前側部と、前後方向の中央部に位置する括れ部と、前後方向の後側に位置する後側部で形成し、平面視において、前記前側部の左前側部を括れ部の最狭幅部の左側括れ辺よりも左側に延在させ、前記前側部の右前側部を括れ部の最狭幅部の右側括れ辺よりも右側に延在させ、平面視において、前記後側部の左後側部を括れ部の最狭幅部の左側括れ辺よりも左側に延在させ、前記後側部の右後側部を括れ部の最狭幅部の右側括れ辺よりも右側に延在させ、前記左前側部と左後側部を、前記左側括れ辺の左側に近接して設けられた前後方向に延在する第１左側折曲げ線を中心として内側に折曲げ、前記右前側部と右後側部を、前記左側括れ辺の右側に近接して設けられた前後方向に延在する第１右側折曲げ線を中心として内側に折曲げ、平面視において、前記吸収体を前後方向に３分割する位置の前側に幅方向に延在する第２折曲げ線と、後側に幅方向に延在する第３折曲げ線を設け、前記左前側部と右前側部を折曲げた状態の前側部を、前記第２折曲げ線を中心として内側に折曲げ、又は、前記左後側部と右後側部を折曲げた状態の後側部を、前記第３折曲げ線を中心として内側に折曲げた後に、前記左後側部と右後側部を折曲げた状態の後側部を、前記第３折曲げ線を中心として内側に折曲げ、又は、前記左前側部と右前側部を折曲げた状態の前側部を、前記第２折曲げ線を中心として内側に折曲げ、前記前側部の前部における第１左側折曲げ線と第１右側折曲げ線に重なる部位に、それぞれ矩形状の第１左前側重合部と第１右前側重合部を設け、前記後側部の前部における第１左側折曲げ線と第１右側折曲げ線に重なる部位に、それぞれ前側に頂部を有する三角形状の第２左後側重合部と第２右後側重合部を設け、前記第２左後側重合部と第２右後側重合部を、それぞれ第３折曲げ線よりも前側に延在させたことを特徴とする。
【０００８】
第２手段は、液透過性の表面シートと、液不透過性の裏面シートと、前記表面シートと裏面シートの間に設けられた吸収体を備えるパッドにおいて、
前記表面シートに突出する凸部を形成し、前記吸収体を前後方向の前側に位置する前側部と、前後方向の中央部に位置する括れ部と、前後方向の後側に位置する後側部で形成し、平面視において、前記前側部の左前側部を括れ部の最狭幅部の左側括れ辺よりも左側に延在させ、前記前側部の右前側部を括れ部の最狭幅部の右側括れ辺よりも右側に延在させ、平面視において、前記後側部の左後側部を括れ部の最狭幅部の左側括れ辺よりも左側に延在させ、前記後側部の右後側部を括れ部の最狭幅部の右側括れ辺よりも右側に延在させ、前記左前側部と左後側部を、前記左側括れ辺の左側に近接して設けられた前後方向に延在する第１左側折曲げ線を中心として内側に折曲げ、前記右前側部と右後側部を、前記左側括れ辺の右側に近接して設けられた前後方向に延在する第１右側折曲げ線を中心として内側に折曲げ、平面視において、前記吸収体を前後方向に３分割する位置の前側に幅方向に延在する第２折曲げ線と、後側に幅方向に延在する第３折曲げ線を設け、前記左前側部と右前側部を折曲げた状態の前側部を、前記第２折曲げ線を中心として内側に折曲げ、又は、前記左後側部と右後側部を折曲げた状態の後側部を、前記第３折曲げ線を中心として内側に折曲げた後に、前記左後側部と右後側部を折曲げた状態の後側部を、前記第３折曲げ線を中心として内側に折曲げ、又は、前記左前側部と右前側部を折曲げた状態の前側部を、前記第２折曲げ線を中心として内側に折曲げ、前記括れ部の両側部における第２折曲げ線と重なる部位に、それぞれ矩形状の第３左中側重合部と第３右中側重合部を設け、前記後側部の前部における第１左側折曲げ線と第１右側折曲げ線に重なる部位に、それぞれ前側に頂部を有する三角形状の第２左後側重合部と第２右後側重合部を設け、前記第２左後側重合部と第２右後側重合部を、それぞれ第３折曲げ線よりも前側に延在させたことを特徴とする。
【０００９】
第３手段は、第１又は２の手段の構成において、前記第１左側折曲げ線を左側括れ辺上に位置させ、前記第１右側折曲げ線を右側括れ辺上に位置させたことを特徴とする。
【００１０】
【００１１】
【発明の効果】
【００１２】
第１手段によれば、表面シートに突出する凸部を形成し、吸収体を前後方向の前側に位置する前側部と、前後方向の中央部に位置する括れ部と、前後方向の後側に位置する後側部で形成し、平面視において、前側部の左前側部を括れ部の最狭幅部の左側括れ辺よりも左側に延在させ、前側部の右前側部を括れ部の最狭幅部の右側括れ辺よりも右側に延在させ、平面視において、後側部の左後側部を括れ部の最狭幅部の左側括れ辺よりも左側に延在させ、後側部の右後側部を括れ部の最狭幅部の右側括れ辺よりも右側に延在させ、左前側部と左後側部を、左側括れ辺の左側に近接して設けられた前後方向に延在する第１左側折曲げ線を中心として内側に折曲げ、右前側部と右後側部を、左側括れ辺の右側に近接して設けられた前後方向に延在する第１右側折曲げ線を中心として内側に折曲げ、平面視において、吸収体を前後方向に３分割する位置の前側に幅方向に延在する第２折曲げ線と、後側に幅方向に延在する第３折曲げ線を設け、左前側部と右前側部を折曲げた状態の前側部を、第２折曲げ線を中心として内側に折曲げ、又は、左後側部と右後側部を折曲げた状態の後側部を、第３折曲げ線を中心として内側に折曲げた後に、左後側部と右後側部を折曲げた状態の後側部を、第３折曲げ線を中心として内側に折曲げ、又は、左前側部と右前側部を折曲げた状態の前側部を、第２折曲げ線を中心として内側に折曲げたので、括れ部の内面と外側部の内面の間と、外側部の外面と前側部の内面の間に空間が形成されて、前側部と、括れ部と、外側部に対向する表面シートの内側に向かって突出する凸部の形状を維持し液の拡散性の低下を防止することができる。
前側部の前部における第１左側折曲げ線と第１右側折曲げ線に重なる部位に、それぞれ矩形状の第１左前側重合部と第１右前側重合部を設け、後側部の前部における第１左側折曲げ線と第１右側折曲げ線に重なる部位に、それぞれ前側に頂部を有する三角形状の第２左後側重合部と第２右後側重合部を設け、第２左後側重合部と第２右後側重合部を、それぞれ第３折曲げ線よりも前側に延在させたので、括れ部の内面と前側部の内面の間により大きな空間が形成される。従って、前側部に対向する表面シートの内側に向かって突出する凸部が括れ部によって押圧されず、また、括れ部に対向する表面シートの内側に向かって突出する凸部が前側部によって押圧されず、前側部と、括れ部に対向する表面シートの内側に向かって突出する凸部の形状をより維持して、液の拡散性の低下をより防止することができる。
【００１３】
第２手段によれば、表面シートに突出する凸部を形成し、吸収体を前後方向の前側に位置する前側部と、前後方向の中央部に位置する括れ部と、前後方向の後側に位置する後側部で形成し、平面視において、前側部の左前側部を括れ部の最狭幅部の左側括れ辺よりも左側に延在させ、前側部の右前側部を括れ部の最狭幅部の右側括れ辺よりも右側に延在させ、平面視において、後側部の左後側部を括れ部の最狭幅部の左側括れ辺よりも左側に延在させ、後側部の右後側部を括れ部の最狭幅部の右側括れ辺よりも右側に延在させ、左前側部と左後側部を、左側括れ辺の左側に近接して設けられた前後方向に延在する第１左側折曲げ線を中心として内側に折曲げ、右前側部と右後側部を、左側括れ辺の右側に近接して設けられた前後方向に延在する第１右側折曲げ線を中心として内側に折曲げ、平面視において、吸収体を前後方向に３分割する位置の前側に幅方向に延在する第２折曲げ線と、後側に幅方向に延在する第３折曲げ線を設け、左前側部と右前側部を折曲げた状態の前側部を、第２折曲げ線を中心として内側に折曲げ、又は、左後側部と右後側部を折曲げた状態の後側部を、第３折曲げ線を中心として内側に折曲げた後に、左後側部と右後側部を折曲げた状態の後側部を、第３折曲げ線を中心として内側に折曲げ、又は、左前側部と右前側部を折曲げた状態の前側部を、第２折曲げ線を中心として内側に折曲げたので、括れ部の内面と外側部の内面の間と、外側部の外面と前側部の内面の間に空間が形成されて、前側部と、括れ部と、外側部に対向する表面シートの内側に向かって突出する凸部の形状を維持し液の拡散性の低下を防止することができる。
括れ部の両側部における第２折曲げ線と重なる部位に、それぞれ矩形状の第３左中側重合部と第３右中側重合部を設け、後側部の前部における第１左側折曲げ線と第１右側折曲げ線に重なる部位に、それぞれ前側に頂部を有する三角形状の第２左後側重合部と第２右後側重合部を設け、第２左後側重合部と第２右後側重合部を、それぞれ第３折曲げ線よりも前側に延在させたので、括れ部の内面と前側部の内面の間により大きな空間が形成される。従って、前側部に対向する表面シートの内側に向かって突出する凸部が括れ部によって押圧されず、また、括れ部に対向する表面シートの内側に向かって突出する凸部が前側部によって押圧されず、前側部と、括れ部に対向する表面シートの内側に向かって突出する凸部の形状をより維持して、液の拡散性の低下をより防止することができる。
【００１４】
第３手段によれば、第１又は２記載の手段による効果に加えて、第１左側折曲げ線を左側括れ辺上に位置させ、第１右側折曲げ線を右側括れ辺上に位置させたので、前側部の左前側部と後側部の左後側部を第１左側折曲げ線に沿って内側に効率良く折曲げ、前側部の右前側部と後側部の右後側部を第１右側折曲げ線に沿って内側に効率良く折曲げることができる。
【００１５】
【００１６】
【図面の簡単な説明】
【００１７】
【図１】展開状態のパッドの内面を示す平面図である。
【図２】要部のみを示す平面図である。
【図３】図１のＡ−Ａ断面図である。
【図４】図１のＢ−Ｂ断面図である。
【図５】表面シートの凸部の断面図である。
【図６】表面シートの凸部の平面図である。
【図７】展開状態の外側吸収体の平面図である。
【図８】外側吸収体の両側部を内側に折曲げた平面図である。
【図９】外側吸収体の前側部を内側に折曲げ平面図である。
【図１０】外側吸収体の後側部を内側に折曲げた平面図である。
【図１１】図１０のＡ−Ａ断面図である。
【図１２】図１０のＢ−Ｂ断面図である。
【図１３】図１０のＣ−Ｃ断面図である。
【図１４】外側吸収体の後側部を内側に折曲げた後に、外側吸収体の前側部を内側に折曲げた状態の図１０のＣ−Ｃ断面図に相当する断面図である。
【図１５】第２実施形態の外側吸収体の平面図である。
【図１６】第３実施形態の外側吸収体の平面図である。
【発明を実施するための形態】
【００１８】
図１〜４に示すように、第１実施形態のパッドは、股間部Ｃと、股間部Ｃの前側に延在する前身頃Ｆと、股間部Ｃの後側に延在する後身頃Ｂから形成されている。各部の寸法は、適宜定めることができ、例えば、パッドの前後方向の長さＬを３５０〜７００ｍｍ、幅方向の幅Ｗを１３０〜４００ｍｍ、前身頃Ｆの前後方向の長さを５０〜３５０ｍｍ、股間部Ｃの前後方向の長さを１０〜１５０ｍｍ、後身頃Ｂの前後方向の長さを５０〜３５０ｍｍ、股間部Ｃの最小幅を２００〜２６０ｃｍに形成することができる。
【００１９】
パッドは、液不透過性の裏面シートト２１と、透液性の表面シート２２と、裏面シート２１と表面シート２２の間に配置された吸収体２３と、表面シート２２の幅方向の両側部に設けられた立体ギャザー２４で形成されている。
【００２０】
吸収体２３の外側には、裏面シート２１が吸収体２３の外周縁から若干はみ出すように設けられている。裏面シート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸又は二軸方向に延伸することにより得られる微多孔性シートを用いることができる。
【００２１】
裏面シート２１の外側には、不織布からなる外装シート２７が裏面シート２１の外周縁から若干はみ出すように設けられている。外装シート２７としては、各種の不織布を用いることができる。不織布を構成する素材繊維としては、ポリエチレン又はポリプロピレン等のオレフィン系、ポリエステル系、アミド系等の合成繊維の他、レーヨンやキュプラ等の再生繊維、綿等の天然繊維を用いることができる。
【００２２】
吸収体２３の内側には、表面シート２２が設けられている。第１実施形態においては、表面シート２２の幅方向の幅は、吸収体２３の幅方向の幅よりも狭く形成されているが、表面シート２２の幅方向の幅を吸収体２３の幅方向の幅よりも広く形成することもできる。表面シート２２としては、有孔又は無孔の不織布や穴あきプラスチックシートなどが用いられる。不織布を構成する素材繊維としては、ポリエチレン又はポリプロピレン等のオレフィン系、ポリエステル系、アミド系等の合成繊維の他、レーヨンやキュプラ等の再生繊維、綿等の天然繊維を用いることができる。
【００２３】
表面シート２２と吸収体２３の間には、中間シート２５が設けられている。中間シート２５としては、保水性が低く、かつ透液性の高い素材、例えば各種の不織布やメッシュフィルム等を用いることができる。
【００２４】
表面シート２２の幅方向の両側部には、立体ギャザー２４が設けられ、立体ギャザー２４は、外装シート２７の幅方向の側部に固定された固定部と、固定部から吸収体２３等の幅方向の側部を超えて表面シート２２の内面の側部まで延在する本体部から形成されている。また、本体部の前後方向の前後端部は、表面シート２２に固定され、本体部の前後方向の中央部は、表面シート２２に固定されず内側に向かって起立する。なお、図１に立体ギャザー２４の固定部を斜線で示している。
【００２５】
立体ギャザー２４は、２重のギャザーシート２４Ａと前後方向に延在する細長状の弾性部材２４Ｂから形成されている。ギャザーシート２４Ａの素材としては、プラスチックシートやメルトブローン不織布を使用することもできるが、肌への感触性の点で、不織布にシリコンなどにより撥水処理を用いることができる。また、弾性部材２４Ｂとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。なお、図４に示すように、弾性部材２４Ｂは、その伸縮力によって立体ギャザー２４を内側に向かって起立させる。
【００２６】
パッドの前後方向の前後端部では、表面シート２２と外装シート２７が固定されてエンドフラップ部ＥＦを形成し、パッドの幅方向の両側端部では、ギャザーシート２４Ａと外装シート２７が固定されてサイドフラップ部ＳＦを形成している。なお、エンドフラップ部ＥＦとサイドフラップ部ＳＦには、吸収体２３は延在していない。
【００２７】
吸収体２３は、装着者の身体面側である内側に位置する内側吸収体２３Ａと、外側に位置する外側吸収体２３Ｂから形成されている。また、内側吸収体２３Ａと外側吸収体２３Ｂは、パルプ繊維の積繊体、セルロースアセテート等のフィラメントの集合体、あるいは不織布を基本とし、必要に応じて粒子状等の高吸収性ポリマー粒子を混合、固着等してなるものを用いることができる。また、内側吸収体２３Ａと外側吸収体２３Ｂは、高吸収性ポリマー粒子の脱落等を防止するために、クレープ紙等の包装シート２６により包むのが好ましい。
【００２８】
外側吸収体２３Ｂは、パッドの前身頃Ｆに位置する前側部３０と、パッドの股間部Ｃに位置する括れ部３１と、パッドの後身頃Ｂに位置する後側部３２で形成されている。括れ部３１は、外側吸収体２３Ｂの前側部３０と後側部３２に位置する幅方向の両側部を略台形形状に切欠いて形成されている。
【００２９】
括れ部３１の最小幅は、前側部３０と後側部３２の幅Ｗ１の５０〜６５％に形成されている。また、外側吸収体２３Ｂの前端を０％とし外側吸収体２３Ｂの後端を１００％としたとき、括れ部３１の前端を１０〜２５％に配置し、括れ部３１の後端を４０〜６５％に配置し、括れ部３１の最小幅となる部位を２５〜３０％に配置されている。
【００３０】
内側吸収体２３Ａは、幅方向の所定の間隔を有して前後方向に延在する略長方形状に形成されている。内側吸収体２３Ａの前後方向の長さは、外側吸収体２３Ｂの前後方向の長さＬ１の６０〜９０％に形成され、内側吸収体２３Ａの幅方向の幅は、外側吸収体２３Ｂの幅方向の幅Ｗ１の６０〜９０％に形成されている。また、内側吸収体２３Ａの外側吸収体２３Ｂの括れ部３１に対向する部位には、幅方向に所定の間隔を隔てて、幅方向に所定の間隔を有して前後方向に長辺を有する略長方形状の一対のスリット４０が形成されている。
【００３１】
図５に示すように、表面シート２２における内側吸収体２３Ａのスリット４０に対向する部位には、内側に突出する多数の凸部４１が前後方向と幅方向に所定の間隔を隔てて千鳥状に形成されている。
【００３２】
これにより、図６に示すように、表面シート２１上の排尿位置Ｚに排尿された尿は、前後方向又は幅方向に流れるよりも表面シート２１に突出する凸部４１と隣接する凸部４１の間を斜め方向に流れて、排尿位置Ｚに排尿された多くの尿は、排尿位置Ｚの両側部に形成されたスリット４０に流れ込むので、吸収可能量の低下を抑えつつ、股間部Ｃのフィット性に優れ、かつ逆戻り防止性にも優れたものとなる。
【００３３】
凸部４１は、エンボス加工を用いて表面シート２２を外側から内側に押出すことによって形成することができる。また、凸部４１の形状は、円形状、楕円形状、多角形状に形成することができる。
【００３４】
次に、表面シート２２に突出する凸部４１のつぶれを防止するパッドの折曲げ方法について説明する。なお、以下では、理解を容易にするためにパッドの立体ギャザー２４、表面シート２２、内側吸収体２３Ａ、裏面シート２１等を除去した外側吸収体２３Ｂの折曲げ方法について説明する。
【００３５】
図７，８に示すように、外側吸収体２３Ｂの括れ部３１における最小幅の左側端部を形成する左側括れ辺３１Ａ上に位置する仮想の前後方向に延在する第１左側折曲げ線３３Ａを中心として、第１左側折曲げ線３３Ａよりも左側に位置する前側部３０の左前側部３０Ａと後側部３２の左後側部３２Ａを内側に向かって折曲げる。同様に、外側吸収体２３Ｂの括れ部３１における最小幅の右側端部を形成する右側括れ辺３１Ｂ上に位置する仮想の前後方向に延在する第１右側折曲げ線３３Ｂを中心として、第１右側折曲げ線３３Ｂよりも右側に位置する前側部３０の右前側部３０Ｂと後側部３２の右後側部３２Ｂを内側に向かって折曲げる。なお、第１左側折曲げ線３３Ａと第１右側折曲げ線３３Ｂを総称して第１折曲げ線３３と言う。また、第１左側折曲げ線３３Ａは、括れ部３１の左側括れ辺３１Ａから左前側部３０Ａの幅方向の左側括れ辺３１Ａに偏倚した位置に設定し、第１右側折曲げ線３３Ｂは、括れ部３１の右側括れ辺３１Ｂから右前側部３０Ｂの幅方向の右側括れ辺３１Ｂに偏倚した位置に設定することができる。
【００３６】
次に、図８，９に示すように、外側吸収体２３Ｂを前後方向に略３分割する幅方向に延在する第２，３折曲げ線３４，３５における前側に位置する第２折曲げ線３４を中心として、左前側部３０Ａと右前側部３０Ｂが折曲げられた状態の前側部３０を内側に向かって折曲げる。
【００３７】
これにより、左後側部３２Ａにおける第３折曲げ線３５よりも前側に延在する第１左後側部３６Ａの外面に左前側部３０Ａの外面が重なり、右後側部３２Ｂにおける第３折曲げ線３５よりも前側に延在する第１右後側部３６Ｂの外面に右前側部３０Ｂの外面が重なり、図１１，１２に示すように、幅方向の中央部の括れ部３１の内面と前側部３０の内面の間に大きな空間Ｓ１が形成される。従って、前側部３０の幅方向の中央部に位置する表面シート２２の突出した凸部４１が括れ部３１の内面によって押圧されず、また、シート２２の幅方向の中央部に位置する表面シート２２の突出した凸部４１が前側部３０の内面によって押圧されないので凸部４１の形状を維持することができる。また、図１３に示すように、括れ部３１の前側に偏倚した部位に空間Ｓ１を形成しているので、排尿位置Ｚの近傍の凸部４１を維持することができので、吸収可能量の低下を抑え、股間部Ｃのフィット性に優れ、かつ逆戻り防止性に優れるパッドを維持することができる。
【００３８】
次に、図９，１０に示すように、第３折曲げ線３５を中心として、左後側部３２Ａと右後側部３２Ｂが折曲げられた状態の後側部３２を内側に向かって折曲げる。
【００３９】
これにより、前側部３０の外面に左後側部３２Ａにおける第３折曲げ線３５よりも後側に延在する第２左後側部３７Ａの外面が重なり、前側部３０の外面に右後側部３２Ｂにおける第３折曲げ線３５よりも後側に延在する第２右後側部３７Ｂの外面の外面が重なり、図１１，１２に示すように、幅方向の中央部の括れ部３１の外面と後側部３２の内面の間に空間Ｓ２が形成される。従って、後側部３２の幅方向の中央部に位置する表面シート２２の突出した凸部４１が括れ部３１の外面による押圧を抑制して、凸部４１の形状を維持することができる。なお、空間Ｓ２の内外方向の高さは、空間Ｓ１の内外方向の高さの略半分であり凸部４１の形状が維持される割合は少ない。
【００４０】
第１実施形態においては、第３折曲げ線を中心として左後側部３２Ａと右後側部３２Ｂを内側に折曲げられた後に、第２折曲げ線を中心として左前側部３０Ａと右前側部３０Ｂを内側に折曲げることもできる。
【００４１】
これにより、図１４に示すように、括れ部３１の内面と外側部３２の内面に空間Ｓ３が形成され、外側部３２の外面と前側部３０の内面の間に空間Ｓ４が形成される。従って、括れ部３１と外側部３２の内面の凸部４１と、前側部３０の内面の凸部４１の形状を維持することができる。なお、空間Ｓ３，４の内外方向の高さは、空間Ｓ１の内外方向の高さの略半分であり凸部４１の形状が維持される割合は少ない。
【００４２】
＜第２実施形態＞
次に、第２実施形態のパッドについて説明する。なお、第１実施形態のバッドと同一部品には同一符号を付して説明を省略する。図１５に示すように、外側吸収体２３Ｂの前後方向端部における第１左側折曲げ線３３Ａと第２右側折曲げ線３３Ｂに対向する部位にそれぞれ幅方向に所定の間隔を有して前後方向に延在する矩形状の第１左前側重合部５０Ａと第１右前側重合部５０Ｂ部を設けている。また、第１左前側重合部５０Ａと第１右前側重合部５０Ｂ部は、外側吸収体２３Ｂを形成するパルプ繊維の積繊体等の目付を高くして形成することができる。
【００４３】
外側吸収体２３Ｂの幅方向の両側部における第３折曲げ線３５に対向する部位にそれぞれ略三角形上の第２左後側重合部５１Ａと第２右後側重合部５１Ｂを設けている。また、第２左後側重合部５１Ａの前側部は、第３折曲げ線３５の前側に延在し、第２左後側重合部５１Ａの後側部は、第３折曲げ線３５の後側に延在している。同様に、第２右後側重合部５１Ｂの前側部は、第３折曲げ線３５の前側に延在し、第２右後側重合部５１Ｂの後側部は、第３折曲げ線３５の後側に延在している。また、第２左後側重合部５１Ａと第２右後側重合部５１Ａは、外側吸収体２３Ｂを形成するパルプ繊維の積繊体等の目付を高くして形成することができる。
【００４４】
これにより、第１折曲げ線３３を中心として外側吸収体２３Ｂを内側に向かって折り曲げ、第２折曲げ線３４を中心として外側吸収体２３Ｂの前側部３０を内側に向かって折り曲げ、第３折曲げ線３５を中心として外側吸収体２３Ｂの後側部３２を内側に向かって折り曲げた場合に形成される空間Ｓ１の内外高さをより高く形成して、前側部３０の中央部に位置する表面シート２２の凸部４１と、括れ部３１の中央部に位置する表面シート２２の凸部４１の形状をより維持することができる。
【００４５】
＜第３実施形態＞
次に、第３実施形態のパッドについて説明する。なお、第１実施形態のバッドと同一部品には同一符号を付して説明を省略する。図１６に示すように、外側吸収体２３Ｂの幅方向の両側部における第２折曲げ線３４に対向する部位にそれぞれ幅方向に所定の間隔を有して前後方向に延在する矩形状の第３左中側重合部５２Ａと第３右中側重合部５２Ｂを設けている。また、第３左中側重合部５２Ａの前側部は、第２折曲げ線３４の前側に延在し、第３左中側重合部５２Ａの後側部は、第２折曲げ線３４の後側に延在している。同様に、第３右中側重合部５２Ｂの前側部は、第２折曲げ線３４の前側に延在し、第３右中側重合部５２Ｂの後側部は、第２折曲げ線３４の後側に延在している。また、第３左中側重合部５２Ａと第３右中側重合部５２Ｂは、外側吸収体２３Ｂを形成するパルプ繊維の積繊体等の目付を高くして形成することができる。
【００４６】
外側吸収体２３Ｂの幅方向の両側部における第３折曲げ線３５に対向する部位にそれぞれ略三角形上の第２左後側重合部５１Ａと第２右後側重合部５１Ｂを設けている。また、第２左後側重合部５１Ａの前側部は、第３折曲げ線３５の前側に延在し、第２左後側重合部５１Ａの後側部は、第３折曲げ線３５の後側に延在している。同様に、第２右後側重合部５１Ｂの前側部は、第３折曲げ線３５の前側に延在し、第２右後側重合部５１Ｂの後側部は、第３折曲げ線３５の後側に延在している。また、第２左後側重合部５１Ａと第２右後側重合部５１Ａは、外側吸収体２３Ｂを形成するパルプ繊維の積繊体等の目付を高くして形成することができる。
【００４７】
これにより、第１折曲げ線３３を中心として外側吸収体２３Ｂを内側に向かって折り曲げ、第２折曲げ線３４を中心として外側吸収体２３Ｂの前側部３０を内側に向かって折り曲げ、第３折曲げ線３５を中心として外側吸収体２３Ｂの後側部３２を内側に向かって折り曲げた場合に形成される空間Ｓ１の内外高さをより高く形成して、前側部３０の中央部に位置する表面シート２２の凸部４１と、括れ部３１の中央部に位置する表面シート２２の凸部４１の形状をより維持することができる。
【産業上の利用可能性】
【００４８】
本発明は、吸収性物品に利用できるものである。
【符号の説明】
【００４９】
２１      裏面シート
２２      表面シート
２３      吸収体
３０      前側部
３０Ａ    左前側部
３０Ｂ    右前側部
３１      括れ部
３１Ａ    左側括れ辺
３１Ｂ    右側括れ辺
３２      後側部
３２Ａ    左後側部
３２Ｂ    右後側部
３３Ａ    第１左側折曲げ線
３３Ｂ    第１右側折曲げ線
３４      第２折曲げ線
３５      第３折曲げ線
３６Ａ    第１左後側部
３６Ｂ    第１右後側部
４１      凸部
５０Ａ    第１左前側重合部
５０Ｂ    第１右前側重合部
５１Ａ    第２左後側重合部
５１Ｂ    第２右後側重合部
５２Ａ    第３左中側重合部
５２Ｂ    第３右中側重合部
【図１】
0006517400.tif 000002
【図２】
0006517400.tif 000003
【図３】
0006517400.tif 000004
【図４】
0006517400.tif 000005
【図５】
0006517400.tif 000006
【図６】
0006517400.tif 000007
【図７】
0006517400.tif 000008
【図８】
0006517400.tif 000009
【図９】
0006517400.tif 000010
【図１０】
0006517400.tif 000011
【図１１】
0006517400.tif 000012
【図１２】
0006517400.tif 000013
【図１３】
0006517400.tif 000014
【図１４】
0006517400.tif 000015
【図１５】
0006517400.tif 000016
【図１６】
0006517400.tif 000017